(57)【要約】      （修正有）【課題】集塵作用を有する集塵無塵衣に関し、および無塵衣に装着して用いる集塵作用を有する集塵装置を提供する。【解決手段】集塵作用を有する集塵無塵衣１０または被装着対象物に装着して用いる集塵装置は、＋と−の直流高電圧電極を交互に有し、表面に粘着材を有し、裏面に電界隔離層を有する。これらは電池１２で駆動し移動自在であり、集塵無塵衣はホコリ１１ａ，１１ｂ吸着機能を有するように構成されている。また、ホコリ吸着機能を有する集塵装置は、被装着対象物に装着して用いられる。【選択図】図１
2011140731.tif 000002
【特許請求の範囲】
【請求項１】
ホコリ吸着機能を有することを特徴とする集塵無塵衣。
【請求項２】
請求項１記載の集塵無塵衣において、表素材と裏素材を有し、これらの間に＋の電圧を印加された電極と−の電圧を印加された電極とを交互に有することを特徴とする集塵無塵衣。
【請求項３】
請求項１または２記載の集塵無塵衣において、表素材は粘着材であることを特徴とする集塵無塵衣。
【請求項４】
請求項１または２記載の集塵無塵衣において、裏素材は電界隔離層であることを特徴とする集塵無塵衣。
【請求項５】
請求項１〜４のいずれか１つに記載の集塵無塵衣において、電池と直流の＋および−の高電圧発生装置を有することを特徴とする集塵無塵衣。
【請求項６】
被装着対象物に装着して用いられることを特徴とする集塵装置。
【請求項７】
請求項６記載の集塵装置において、表素材と裏素材を有し、これらの間に＋の電圧を印加された電極と−の電圧を印加された電極とを交互に有することを特徴とする集塵装置。
【請求項８】
請求項６または７記載の集塵装置において、表素材は粘着材であることを特徴とする集塵装置。
【請求項９】
請求項６または７記載の集塵装置において、裏素材は電界隔離層であることを特徴とする集塵装置。
【請求項１０】
請求項６記載の集塵装置において、被装着対象物に容易に着脱できるマジックテープ、ホックまたは留め金を有することを特徴とする集塵装置。
【請求項１１】
請求項１０記載の集塵装置において、マジックテープ、ホックまたは留め金は絶縁体であることを特徴とする無塵装置。
【請求項１２】
請求項６〜１１のいずれか１つに記載の集塵装置において、電池と直流の＋および−の高電圧発生装置を有することを特徴とする集塵装置。
【発明の詳細な説明】
【技術分野】
【０００１】
本発明は、集塵作用を有する集塵無塵衣に関し、および被装着対象物、例えば、無塵衣（または下着、スーツ、あるいは加工機械等の装置）に装着して用いる集塵作用を有する集塵装置に関する。
【背景技術】
【０００２】
従来の無塵衣は、人体や装置が発するホコリを単に外部に飛散しないように防御するものであった。
【発明の概要】
【発明が解決しようとする課題】
【０００３】
そのため無塵衣の開口部から出たホコリや人体や装置の周囲に浮遊するホコリに対しては無力であり、捕捉することはできないという問題があった。
【０００４】
したがって、本発明の目的は、集塵作用を有する集塵無塵衣に関し、および被装着対象物、例えば、無塵衣（または下着、スーツ、あるいは加工機械等の装置）に装着して用いる集塵作用を有する集塵装置を提供することにある。
【課題を解決するための手段】
【０００５】
前述の目的を達成するために、本発明の集塵作用を有する集塵無塵衣または被装着対象物に装着して用いる集塵装置は、＋と−の直流高電圧電極を交互に有し、表面に粘着材を有し、裏面に電界隔離層を有する（表素材として粘着材を有し、裏素材として電界隔離層を有する）のが好ましい。さらにこれらは電池で駆動し移動自在であることが好ましい。
【発明の効果】
【０００６】
本発明によれば、人体や装置からのホコリ飛散を防止する無塵衣または無塵カバーに集塵機能を持たせることが可能になるため、自らが発したホコリを捕捉し飛散を防ぐと共に、自分の周囲に浮遊するホコリも捕捉できて環境の浄化に寄与できる。
【図面の簡単な説明】
【０００７】
【図１】本発明の実施例１の集塵無塵衣を説明するための図である。
【図２】本発明の実施例２の無塵衣（または下着、スーツ、あるいは加工機械等の装置）に装着して用いる集塵作用を有する集塵装置を説明するための図である。
【図３】本発明の実施例３を説明するための図であり、実施例１の集塵無塵衣の構成を示す拡大断面図である。
【図４】本発明の実施例４を説明するための図であり、実施例２の無塵衣（または下着、スーツ、あるいは加工機械等の装置）に装着して用いる集塵作用を有する集塵装置を示す拡大断面図である。
【発明を実施するための形態】
【０００８】
本発明の集塵無塵衣または集塵装置は、直流の＋と−の電極を交互に有し、表面に粘着材を有し、裏面に電界隔離層を有し、電源として電池で駆動するのが好ましい。
【実施例１】
【０００９】
次に、本発明の実施例１を図１を参照して説明する。図１は本発明の実施例１を説明するための図である。図１には、集塵機能付きの無塵衣、すなわち集塵無塵衣１０が示されている。
【００１０】
集塵無塵衣の詳細な構成は図３を参照して後述するが、図１において、集塵無塵衣１０の衣服には直流の＋および−の高電圧発生装置（図示せず）から高電圧が印加される直流の＋と−の電極が交互に配置され、表面に粘着材を有する。裏面には電界隔離層を有する。集塵無塵衣の端（首周辺、手首周辺、足首周辺、チャック部分など）からでた人体のホコリ１１ａまたは周囲に浮遊するホコリ１１ｂは集塵無塵衣の電極に吸引され、粘着材で捕捉される。＋の静電気を持ったホコリは−の電極に捕捉され、−の静電気を持ったホコリは＋の電極に捕捉される。静電気を持たないホコリまたは僅かな静電気しか持たないホコリは捕捉できないが、これらのホコリは周囲に置かれている製品にも付着せず不良を作らないので、特に捕捉する必要もない。電極に高電圧を印加する電池（電源）１２は集塵無塵衣１０に装着され、携帯型であることが好ましい。
【実施例２】
【００１１】
次に、本発明の実施例２を図２を参照して説明する。図２は本発明の実施例２を説明するための図である。図２には、例えば、無塵衣２０（または下着、スーツ、装置等）の被装着対象物に装着して用いられる集塵装置２２が示されている。
【００１２】
集塵装置の詳細な構成は図４を参照して後述するが、図２において、無塵衣２０の衣服には複数のまたは少なくとも１つの集塵装置２２が装着され、これには直流の＋および−の高電圧発生装置（図示せず）から高電圧が印加される直流の＋と−の電極が交互に配置され、表面に粘着材を有する。裏面には電界隔離層を有する。無塵衣２０の端（首周辺、手首周辺、足首周辺、チャック部分など）からでた人体のホコリ１１ａ、装置からホコリや周囲に浮遊するホコリ１１ｂは集塵装置２２の電極に吸引され、粘着材で捕捉される。＋の静電気を持ったホコリは−の電極に捕捉され、−の静電気を持ったホコリは＋の電極に捕捉される。静電気を持たないホコリまたは僅かな静電気しか持たないホコリは捕捉できないが、これらのホコリは周囲に置かれた製品にも付着せず不良を作らないので、特に捕捉する必要もない。電極に高電圧を印加する電池（電源）１２は無塵衣または装置に装着され、移動する場合は携帯型であることが好ましい。
【実施例３】
【００１３】
次に、本発明の実施例３を図３を参照して説明する。図３は本発明の実施例３を説明するための図であり、実施例１の集塵無塵衣の構成を示す拡大断面図である。
【００１４】
図３は、一番内部（図面左側）に人体１４を表し、人は無塵衣１６（または下着やスーツ等）を着て、その上に集塵無塵衣１０を着ている状態を示す。この集塵無塵衣１０は、粘着作用を有する粘着材である表素材１０ａと、電界隔離層として機能する裏素材１０ｂを有し、これは間に直流の＋と−の電極１８が交互に配置されており、粘着材は電極１８との着脱が容易に構成されるのが良い。＋の電極１８には−のホコリ１１が吸引され、粘着材で捕捉される。−の電極１８には＋のホコリ１１が吸引され、粘着材で捕捉される。なお、電極１８は絶縁被覆１９を有するのが好ましい。
【００１５】
裏素材１０ｂの電界隔離層は電極１８からの電気力線が電極から外部に出やすくするために用いる。外部に出た電気力線は外部に浮遊するホコリ１１を吸引する。電界隔離層は絶縁体で誘電率が小さな材料を用いる。
【００１６】
電極１８に高電圧を印加する電池（電源）１２は無塵衣、集塵無塵衣、人体、下着、スーツ等に装着され、移動する場合は携帯型であることが好ましい。
【実施例４】
【００１７】
次に、本発明の実施例４を図４を参照して説明する。図４は本発明の実施例４を説明するための図であり、実施例２の集塵装置の構成を示す拡大断面図である。
【００１８】
図４は、一番内部（図面左側）に人体１４を表し、その上に無塵衣２０（または下着やスーツ等）を着ている状態を示す。無塵衣２０等には複数のまたは少なくとも１つの集塵装置２２が取り付けられている。この集塵装置２２は、粘着作用を有する粘着材である表素材２２ａと、電界隔離層として機能する裏素材２２ｂを有し、これは間に直流の＋と−の電極１８が交互に配置されており、粘着材は電極１８との着脱が容易に構成されるのが良い。＋の電極１８には−のホコリ１１が吸引され、粘着材で捕捉される。−の電極１８には＋のホコリ１１が吸引され、粘着材で捕捉される。なお、電極１８は絶縁被覆１９を有するのが好ましい。
【００１９】
裏素材２２ｂの電界隔離層は電極１８からの電気力線が電極から外部に出やすくするために用いる。外部に出た電気力線は外部に浮遊するホコリ１１を吸引する。電界隔離層は絶縁体で誘電率が小さな材料を用いる。
【００２０】
集塵装置２２は、無塵衣２０等に容易に着脱できるマジックテープまたはホックまたは留め金を有するのが好ましい。そしてホックや留め金は電極からの電気力線を弱めることのないよう、絶縁体でできているのが好ましい。
【００２１】
電極１８に高電圧を印加する電池（電源）１２は無塵衣、集塵無塵衣、人体、下着、スーツ等に装着され、移動する場合は携帯型であることが好ましい。
【符号の説明】
【００２２】
１０  集塵無塵衣
１１  ホコリ
１２  電池（電源）
１４  人体
１６  無塵衣、下着、スーツ、装置等の被装着対象物
１８  ＋電極、−電極
２０  無塵衣等
２２  集塵装置
【図１】
2011140731.tif 000003
【図２】
2011140731.tif 000004
【図３】
2011140731.tif 000005
【図４】
2011140731.tif 000006